(57)【要約】【課題】基体１の単位面積あたりの踏込防止用の突起５の密集密度を高めることができ、鳥類に対する忌避効果を工場させるのに有利な鳥類忌避具を提供する。【解決手段】鳥類忌避具は、基体１と、基体１に設けられた複数の孔２で形成された孔群３と、基体１に上向きに突設され先端５ａが尖った複数の踏込防止用の突起５とを備えており、１つの孔２あたり複数個の踏込防止用の突起５が形成されている。踏込防止用の突起５は孔２の周縁の肉部を一体的に突設させて成形されている。【選択図】  図１
0003106791.tif 000002
【実用新案登録請求の範囲】
【請求項１】
鳥類が存在する可能性がある場所に据えつけられる基体と、基体に設けられ複数の孔で形成された孔群と、基体に上向きに突設され先端が尖った複数の踏込防止用の突起とを備えており、踏込防止用の突起は１つの孔あたり複数個形成されていることを特徴とする鳥類忌避具。
【請求項２】
鳥類が存在する可能性がある場所に据えつけられる基体と、基体に設けられ複数の孔で形成された孔群と、基体に上向きに突設され先端が尖った複数の踏込防止用の突起とを備えており、踏込防止用の突起は１つの孔あたり複数個形成されており、且つ、踏込防止用の突起は孔の周縁の肉部を一体的に突設させて成形されていることを特徴とする鳥類忌避具。
【請求項３】
鳥類が存在する可能性がある場所に据えつけられる基体と、基体に設けられ複数の孔で形成された孔群と、基体に上向きに突設され先端が尖った複数の金属製の踏込防止用の突起とを備えており、踏込防止用の突起は１つの孔あたり複数個形成されており、且つ、踏込防止用の突起は基体に対するプレス成形で形成されて加工硬化しており、踏込防止用の突起の平均硬度は基体の平均硬度よりも硬く設定されていることを特徴とする鳥類忌避具。
【請求項４】
請求項１〜請求項３のうちのいずれか一項において、踏込防止用の突起は捻れ加工が施されていることを特徴とする鳥類忌避具。
【請求項５】
請求項１〜請求項４のいずれか一項において、基体の表面から踏込防止用の突起の先端までの高さ寸法をＨとし、踏込防止用の突起の底の幅寸法をＤとすると、Ｈ／Ｄは３以下に設定されていることを特徴とする鳥類忌避具。
【考案の詳細な説明】
【技術分野】
【０００１】
本考案は鳩類やカラス類等の鳥類を忌避する鳥類忌避具に関する。
【背景技術】
【０００２】
地域によっては、鳩類やカラス類等の鳥類の糞尿による被害が著しいことがある。従って衛生面及び美観等の観点から、鳩類やカラス類等の鳥類の糞尿への対策が強く要望されている。特許文献１〜３には、三角形状のうちの二辺の切込を形成すると共に、切込で形成された部分を切り起こすことにより、三角形状の切起し片で踏込防止用の突起を形成した忌避板、鳩類留まり防止具が開示されている。また特許文献４には、格子状の基底部の表面に１００〜１５０ｍｍ程度の針（剣山）を立設させた防鳥器具が開示されている。上記した切起し片の先端、針（剣山）の先端は尖っているため、鳥類は留まることができず、鳥類の忌避に適する。更に特許文献４によれば、図５に示すように、孔３０１をもつ格子状の基底部３００の表面３０２に１００〜１５０ｍｍ程度の針３１０を垂直状に立設させた防鳥器具が開示されている。このものは形状から判断すると、樹脂成形品であると推察される。
【特許文献１】実開昭５６−１５７２０６号公報
【特許文献２】実開昭５７−１０４８８４号公報
【特許文献３】特開昭６２−１７９３３０号公報
【特許文献４】特開２００１−３５２８９２号公報
【考案の開示】
【考案が解決しようとする課題】
【０００３】
上記した特許文献１〜３には、三角形状のうちの二辺の切込を形成すると共に、切込で区画された面部分を切り起こすことにより、三角形状の切起し片で踏込防止用の突起を形成している。このため、孔１個に対して踏込防止用の突起１個の関係となる。故に、鳥類の忌避に貢献する踏込防止用の突起については、単位面積あたりの踏込防止用の突起の密集密度が必ずしも充分ではない。このため基体の部位によっては鳥類が留まることもでき、忌避効果としては必ずしも充分ではないおそれがある。更に、三角形状の切起し片は薄板形状であるため、鳥類が留まると、鳥類の重量で切起し片が倒れるおそれが高い。更に、図５に示す従来技術に係る防鳥器具は、１つの孔について２個の針を立設させたものではなく、孔３０１の数は針３１０の数にほぼ相当するものである。
【０００４】
本考案は上記した実情に鑑みてなされたものであり、孔の数に対して踏込防止用の突起の数を大幅に増加させることができ、基体の単位面積あたりの踏込防止用の突起の密集密度を高めることができ、鳥類に対する忌避効果を向上させるのに有利な鳥類忌避具を提供することを課題とする。
【課題を解決するための手段】
【０００５】
第１考案に係る鳥類忌避具は、鳥類が存在する可能性がある場所に据えつけられる基体と、基体に設けられ複数の孔で形成された孔群と、基体に上向きに突設され先端が尖った複数の踏込防止用の突起とを備えており、踏込防止用の突起は１つの孔あたり複数個形成されていることを特徴とするものである。この場合、１つの孔あたり複数個の踏込防止用の突起が形成されているため、基体の単位面積あたりの踏込防止用の突起の密集密度を高めることができる。
【０００６】
第２考案に係る鳥類忌避具は、鳥類が存在する可能性がある場所に据えつけられる基体と、基体に設けられた複数の孔で形成された孔群と、基体に上向きに突設され先端が尖った複数の踏込防止用の突起とを備えており、踏込防止用の突起は１つの孔あたり複数個形成されており、且つ、踏込防止用の突起は孔の周縁の肉部を一体的に突設させて成形されていることを特徴とするものである。この場合、１つの孔あたり複数個の踏込防止用の突起が形成されているため、基体の単位面積あたりの踏込防止用の突起の密集密度を高めることができる。更に、孔の周縁の肉部を一体的に突設させることにより突起は形成されているため、基体に対してプレス加圧を施すことにより、突起を成形するのに適する。この場合、突起付近における加工硬化を期待できる。
【０００７】
第３考案に係る鳥類忌避具は、鳥類が存在する可能性がある場所に据えつけられる基体と、基体に設けられた複数の孔で形成された孔群と、基体に上向きに突設され先端が尖った複数の金属製の踏込防止用の突起とを備えており、踏込防止用の突起は１つの孔あたり複数個形成されており、且つ、踏込防止用の突起は基体に対するプレス成形で形成されて加工硬化しており、踏込防止用の突起の平均硬度は基体の平均硬度よりも硬く設定されていることを特徴とするものである。この場合、踏込防止用の突起は１つの孔あたり複数個形成されているため、基体の単位面積あたりの踏込防止用の突起の密集密度を高めることができる。踏込防止用の金属製の突起はプレス成形で形成されて加工硬化しており、踏込防止用の突起の平均硬度は基体の平均硬度よりも硬く設定されているため、踏込防止用の突起の耐久性が向上する。よって他の物体が踏込防止用の突起に衝突したとしても、踏込防止用の突起の形状が維持され、鳥類忌避具を長期にわたり使用することができる。また不使用時に、踏込防止用の突起を下方に向かせて鳥類が存在する可能性がある場所に設置される対象物に載せるように、鳥類忌避具の表裏を裏返しておくこともあるが、このようなときであっても、踏込防止用の突起の過剰な変形が抑制され、踏込防止用の突起の長寿命化に貢献できる。
【０００８】
第１考案〜第３考案によれば、踏込防止用の突起は捻れ加工が施されていることが好ましい。このように踏込防止用の突起に捻れ加工が施されていると、踏込防止用の突起の加工硬化の度合が高まり、踏込防止用の突起の耐久性が向上する。よって硬い他の物体が踏込防止用の突起に衝突したとしても、踏込防止用の突起の形状が維持され、長期にわたり良好に使用することができる。また不使用時に、踏込防止用の突起が下方に向いて対象物に載せられるように鳥類忌避具の裏返しておくこともあるが、このようなときであっても、踏込防止用の突起の過剰な変形が抑制され、踏込防止用の突起の長寿命化に貢献できる。
【０００９】
第１考案〜第３考案によれば、基体の表面から踏込防止用の突起の先端までの高さ寸法をＨとし、踏込防止用の突起の底（基体の表面に接触する部位）の幅寸法をＤとすると、Ｈ／Ｄは３以下に設定することができる。踏込防止用の突起に関するＨ／Ｄが５以上と大きいと、踏込防止用の突起は針状またはこれに高い形状となり、鳥類忌避性は高めるものの、鳥類の串刺し等を誘発させるおそれがあり、鳥類に対する損傷性、残虐性が高まり、鳥類愛護の面からみると、必ずしも好ましいものではない。そこで踏込防止用の突起についてはＨ／Ｄは３以下に設定することができる。この場合、踏込防止用の突起は非針状構造であり、針状ではない。このため鳥類が踏込防止用の突起を踏んだとしても、鳥類に対する損傷性が抑えられる。Ｈ／Ｄの上限としては２．５以下、２以下、１．５以下、１以下を例示でき、Ｈ／Ｄの下限としては０．２以上、０．４以上を例示できる。
【考案の効果】
【００１０】
本考案によれば、基体に形成されている孔群を構成する孔の数に対して、踏込防止用の突起の数を大幅に増加させることができる。故に、基体の単位面積あたりの踏込防止用の突起の密集密度を高めることができる。よって、鳥類に対する忌避効果を向上させるのに有利な鳥類忌避具を提供できる。
【考案を実施するための最良の形態】
【００１１】
図１に示すように鳥類忌避具は、鳥類が存在する場所に設置されているに据えつけられる平板状をなす基板として機能するプレス成形可能な金属製（例えば鋼、合金鋼）の基体１と、基体１に設けられた複数（２０個以上）の表裏を貫通する多数の孔２で形成された孔群３と、基体１に上向きに突設され先端５ａが尖った複数の踏込防止用の突起５とを備えている。突起５は基体１の表面１ｕに対してほぼ７０度〜１２０度、殊に実質的に９０度目の角度で立設することができる。基体１の厚みは０．３〜３ｍｍ、０．５〜１．５ｍｍを例示できる。隣設する孔２同士の間隔は５〜３０ｍｍ、殊に８〜２０ｍｍ間隔にできる。孔２は短径と長径を有する長孔状とされている。楕円形状としても良い。図１に示すように、１列目Ｅ１の孔２に対して、２列目Ｅ２の孔２はΔＬずらして形成されている。１つの孔２あたり、山形状またはほぼ山形状をなす複数個（２個）の踏込防止用の突起５が形成されている。具体的には、孔２の長径方向の一端２ａ側に一方の突起５が突設されている。孔２の長径方向の他端２ｃ側に他方の突起５が形成されている。突起５は孔２の周縁の肉部を一体的に上向きに突設させて成形されている。この場合、１つの孔２あたり複数個（２個）の突起５が形成されているため、突起５の数を孔２の数の２倍にできる。故に基体１の単位面積あたりの突起５の密集密度を高めることができる。更に突起５は孔２の周縁の肉部を一体的に突設させて成形されているため、平板状の基体１の曲げに対する抵抗性を高める補強リブとしても機能も期待できる。なお、突起５の高さとしては、踏込防止用の突起５の全数についてほぼ同じ高さとされている。
【００１２】
基体１の表面１ｕから突起５の先端５ａまでの高さ寸法をＨとし、突起５の底５ｅ（表面１ｕと接触する部位）の幅寸法をＤとすると、Ｈ／Ｄは３以下、２以下に設定されている。踏込防止用の突起５に関するＨ／Ｄが５以上と大きいと、突起５は針状またはこれに高い形状となり、鳥類の脚が突起５を踏んだとき、鳥類に対する損傷性、残虐性が高まり、鳥類愛護の面からみると、必ずしも好ましいものではない。そこで突起５についてはＨ／Ｄは３以下または２以下に設定されているため、突起５は非針状構造である。このため鳥類の脚が踏込防止用の突起５の先端５ａを踏んだとしても、鳥類の留まり心地が悪く、生物としての鳥類に対する損傷性が抑えられる。なお、１個の突起５の高さ寸法Ｈは孔２の長径寸法よりも小さくされている。突起５は基体１に対するプレス成形で形成されているため、各突起５の全体は加工硬化されている。故に突起５の平均硬度は基体１の平均硬度よりも硬く設定されている。鳥類の脚、更には他の生物の脚等が踏み込んだとしても、突起５は倒れず、突起５の耐久性、長寿命性が向上する。殊に、突起５は捻れ部５ｘを形成するように捻れ加工が施されているため、突起５の加工硬化の度合が高まり、鳥類の脚が踏み込んだとしても、突起５は倒れず、突起５の耐久性、長寿命性が一層向上する。よって硬い他の物体が突起５に衝突したとしても、突起５の形状が維持され易く、鳥類忌避具を長期にわたり使用することができる。使用の際には、鳥類忌避具を対象物の表面に置いても良いし、溶接またはボルトなどで対象物に固定しても良いし、紐などをかけて対象物に固定しておいても良い。孔２は雨水排出機能、軽量化を期待できる。
【００１３】
また鳥類忌避具の不使用時には、突起５を下方に向かせるように鳥類忌避具の裏返しておくこともある。このようなときであっても、突起５の過剰な変形が抑制され、突起５の長寿命化に貢献できる。突起５の製造過程の一例としては次のようにできる。基体１に、孔２を形成する切込１０を打ち抜きプレス加工により形成する工程、切込１０で形成された面部分１ａ，１５ｂをプレス加工により立起させることにより、基体１に孔２を形成すると共に、面部分１５ａ，１５ｂに捻り加工を施し、捻られた突起２とする工程とを経て製造できる。これにより孔２の長径方向の一端２ａ側の面部分１５ａにより一方の突起５を一体成形すると共に、孔２の長径方向の他端２ｃ側の面部分１５ｂにより他方の突起５を一体成形することができる。なお、製造過程としては上記した過程に限定されるものではない。上記した実施形態によれば、孔２の全数について、１つの孔２あたり２個の踏込防止用の突起５が形成されているが、これに限らず、孔２の全数のうち８０％以上または９０％以上について、１つの孔２あたり２個の踏込防止用の突起５を形成することにしても良い。（突起５の全数／孔２の全数）の比としては１．６〜２とすることができる。その他、本考案は上記し且つ図面に示した実施形態のみに限定されるものではなく、例えば鳥類に限らず、動物の忌避用としても使用できる等、要旨を逸脱しない範囲内で適宜変更して実施できる。
【産業上の利用可能性】
【００１４】
本考案は鳩類、カラス類等の鳥類の糞尿対策に有効利用することができる。
【図面の簡単な説明】
【００１５】
【図１】鳥類忌避具の平面図である。
【図２】鳥類忌避具の突起付近の斜視図である。
【図３】鳥類忌避具の突起の正面図である。
【図４】孔を形成する切込を形成している形態を模式的に示す平面図である。
【図５】従来技術に係り、鳥類忌避具の斜視図である。
【符号の説明】
【００１６】
図中、１は基体、２は孔、３は孔群、５は踏込防止用の突起を示す。
【図１】
0003106791.tif 000003
【図２】
0003106791.tif 000004
【図３】
0003106791.tif 000005
【図４】
0003106791.tif 000006
【図５】
0003106791.tif 000007